(57)【要約】【課題】  専用機としての処理能力を備えていない動画撮影装置であっても、容易に動画の内容を確認することができることを目的とする。【解決手段】  メイン表示部１０２には、動画のサムネイルを一覧表示する。画像処理制御部１３４は、ユーザによりいずれかのサムネイルが選択されると、選択が継続されている間、サムネイルの表示位置で、サムネイルのサイズで再生する。サムネイルの動画の再生時間が所定の再生時間より長い場合には、動画再生時間を分割し、所定の部分を分割秒ずつ連続して再生する。また、サムネイル作成時、動画にフェード効果が付与されている場合、フェード効果終了後のフレームを用いてサムネイルを作成する。【選択図】  図２
2005269180.tif 000002
【特許請求の範囲】
【請求項１】
撮像手段と、
前記撮像手段によって撮像される撮像データから、所定のフレームレートに従って、ストリームデータを生成するストリームデータ生成手段と、
記録開始を指示する開始指示手段と、
前記開始指示手段によって動画の記録が指示されると、前記ストリームデータを圧縮処理して動画ファイルを順次作成する動画作成手段と、
前記作成された動画ファイルを順次保存する第１の記憶手段と、
記録終了を指示する終了指示手段と、
前記終了指示手段によって終了が指示されると、前記第１の記憶手段に記憶された動画ファイルからサムネイルを作成するサムネイル作成手段と、
前記サムネイル作成手段によって作成されたサムネイルを保存する第２の記憶手段と、
前記第２の記憶手段に保存されている複数のサムネイルを一覧表示する表示手段と、
前記表示手段に表示された複数のサムネイルのうち、いずれかを選択する選択手段と、
前記選択手段により選択されたサムネイルに対応する動画ファイルを、前記サムネイルの表示位置に、サムネイルの大きさで再生する再生手段と
を具備することを特徴とする動画撮影装置。
【請求項２】
前記第１の記憶手段に記憶された動画ファイルの各フレームに任意に特殊効果を付与する付与手段を更に備え、
前記サムネイル作成手段は、前記付与手段により特殊効果が付与されていないフレームからサムネイルを作成することを特徴とする請求項１記載の動画撮影装置。
【請求項３】
前記サムネイル作成手段は、前記第１の記憶手段に記憶された動画ファイルの先頭フレーム、中間フレーム、あるいは最終フレームのいずれかのフレームからサムネイルを作成することを特徴とする請求項１記載の動画撮影装置。
【請求項４】
前記再生手段は、再生すべき動画ファイルの再生時間が所定の時間より長い場合、前記動画ファイルを所定の再生時間毎に複数に分割し、分割した動画ファイルを所定の間隔で連続して再生することを特徴する請求項１記載の動画撮影装置。
【請求項５】
撮像部、第１のメモリ、第２のメモリ、及び、操作部を備える撮影装置における動画一覧表示方法であって、
前記撮像部にて撮像される撮像データから、所定のフレームレートに従って、ストリームデータを生成する生成ステップと、
前記操作部の所定の指示操作により記録開始を指示する開始指示ステップと、
この開始指示ステップにて動画の記録が指示されると、前記ストリームデータを圧縮処理して動画ファイルを順次作成する動画作成ステップと、
前記作成された動画ファイルを前記第１のメモリに順次保存させる第１の記憶ステップと、
前記操作部の所定の指示操作により記録終了を指示する終了指示ステップと、
前記終了指示ステップにて終了が指示されると、前記第１のメモリに記憶された動画ファイルからサムネイルを作成するサムネイル作成ステップと、
前記作成されたサムネイルを前記第２のメモリに保存する第２の記憶ステップと、
前記第２のメモリに保存されている複数のサムネイルを一覧表示する表示ステップと、
前記一覧表示された複数のサムネイルのうち、いずれかを選択する選択ステップと、
前記選択ステップにて選択されたサムネイルに対応する動画ファイルを、前記サムネイルの表示位置に、サムネイルの大きさで再生する再生ステップと
からなることを特徴とする動画一覧表示方法。
【請求項６】
前記第１のメモリに記憶された動画ファイルの各フレームに任意に特殊効果を付与する付与ステップを更に含み、
前記サムネイル作成ステップは、前記付与ステップにて特殊効果が付与されていないフレームからサムネイルを作成することを特徴とする請求項５記載の動画一覧表示方法。
【請求項７】
前記再生ステップは、再生すべき動画ファイルの再生時間が所定の時間より長い場合、前記動画ファイルを所定の再生時間毎に複数に分割し、分割した動画ファイルを所定の間隔で連続して再生することを特徴する請求項５記載の動画一覧表示方法。
【請求項８】
撮像部、第１のメモリ、第２のメモリ、及び、操作部を備える撮影装置における動画一覧表示プログラムであって、
前記撮像部にて撮像される撮像データから、所定のフレームレートに従って、ストリームデータを生成する生成ステップと、
前記操作部の所定の指示操作により記録開始を指示する開始指示ステップと、
この開始指示ステップにて動画の記録が指示されると、前記ストリームデータを圧縮処理して動画ファイルを順次作成する動画作成ステップと、
前記作成された動画ファイルを前記第１のメモリに順次保存させる第１の記憶ステップと、
前記操作部の所定の指示操作により記録終了を指示する終了指示ステップと、
前記終了指示ステップにて終了が指示されると、前記第１のメモリに記憶された動画ファイルからサムネイルを作成するサムネイル作成ステップと、
前記作成されたサムネイルを前記第２のメモリに保存する第２の記憶ステップと、
前記第２のメモリに保存されている複数のサムネイルを一覧表示する表示ステップと、
前記一覧表示された複数のサムネイルのうち、いずれかを選択する選択ステップと、
前記選択ステップにて選択されたサムネイルに対応する動画ファイルを、前記サムネイルの表示位置に、サムネイルの大きさで再生する再生ステップと
をコンピュータに実行させることを特徴とする動画記録一覧表示プログラム。
【発明の詳細な説明】
【技術分野】
【０００１】
本発明は、動画撮影装置、動画一覧表示方法、および、動画一覧表示プログラムに関する。
【背景技術】
【０００２】
従来より、デジタルカメラや携帯電話においては、静止画に加え、動画撮影機能を備えたものが一般的になってきている。該デジタルカメラや携帯電話では、一般的に、静止画像を視覚的に探し出す手段として、一画面に複数の縮小画像を表示するサムネイル表示がある。また、動画の場合には、複数の動画それぞれの最初の画像（先頭フレーム）を静止画としてサムネイル表示するようになっている（例えば特許文献１参照）。
【０００３】
【特許文献１】特開２０００−２７８６４１号公報
【発明の開示】
【発明が解決しようとする課題】
【０００４】
しかしながら、従来のデジタルカメラや携帯電話では、特に、一度に複数の動画を同時再生することができない携帯電話においては、最初の画面（先頭フレーム）を静止画として表示しているため、最初が同じような映像であっても、その後、異なる映像であるような動画の場合には、サムネイル表示だけでは、実際の内容が分からない。このため、それぞれの動画がどのような内容であるかを確認するために、それぞれの動画について再生操作を行う必要があり、煩わしいという問題があった。
【０００５】
そこで本発明は、専用機としての処理能力を備えていない動画撮影装置であっても、容易に動画の内容を確認することができる動画撮影装置、動画一覧表示方法、および、動画一覧表示プログラムを提供することを目的とする。
【課題を解決するための手段】
【０００６】
上記目的達成のため、請求項１記載の発明による動画撮影装置は、撮像手段と、前記撮像手段によって撮像される撮像データから、所定のフレームレートに従って、ストリームデータを生成するストリームデータ生成手段と、記録開始を指示する開始指示手段と、前記開始指示手段によって動画の記録が指示されると、前記ストリームデータを圧縮処理して動画ファイルを順次作成する動画作成手段と、前記作成された動画ファイルを順次保存する第１の記憶手段と、記録終了を指示する終了指示手段と、前記終了指示手段によって終了が指示されると、前記第１の記憶手段に記憶された動画ファイルからサムネイルを作成するサムネイル作成手段と、前記サムネイル作成手段によって作成されたサムネイルを保存する第２の記憶手段と、前記第２の記憶手段に保存されている複数のサムネイルを一覧表示する表示手段と、前記表示手段に表示された複数のサムネイルのうち、いずれかを選択する選択手段と、前記選択手段により選択されたサムネイルに対応する動画ファイルを、前記サムネイルの表示位置に、サムネイルの大きさで再生する再生手段とを具備することを特徴とする。
【０００７】
また、好ましい態様として、例えば請求項２記載のように、請求項１記載の動画撮影装置において、前記第１の記憶手段に記憶された動画ファイルの各フレームに任意に特殊効果を付与する付与手段を更に備え、前記サムネイル作成手段は、前記付与手段により特殊効果が付与されていないフレームからサムネイルを作成するようにしてもよい。
【０００８】
また、好ましい態様として、例えば請求項３記載のように、請求項１記載の動画撮影装置において、前記サムネイル作成手段は、前記第１の記憶手段に記憶された動画ファイルの先頭フレーム、中間フレーム、あるいは最終フレームのいずれかのフレームからサムネイルを作成するようにしてもよい。
【０００９】
また、好ましい態様として、例えば請求項４記載のように、請求項１記載の動画撮影装置において、前記再生手段は、再生すべき動画ファイルの再生時間が所定の時間より長い場合、前記動画ファイルを所定の再生時間毎に複数に分割し、分割した動画ファイルを所定の間隔で連続して再生するようにしてもよい。
【００１０】
また、上記目的達成のため、請求項５記載の発明による動画一覧表示方法は、撮像部、第１のメモリ、第２のメモリ、及び、操作部を備える撮影装置における動画一覧表示方法であって、前記撮像部にて撮像される撮像データから、所定のフレームレートに従って、ストリームデータを生成する生成ステップと、前記操作部の所定の指示操作により記録開始を指示する開始指示ステップと、この開始指示ステップにて動画の記録が指示されると、前記ストリームデータを圧縮処理して動画ファイルを順次作成する動画作成ステップと、前記作成された動画ファイルを前記第１のメモリに順次保存させる第１の記憶ステップと、前記操作部の所定の指示操作により記録終了を指示する終了指示ステップと、前記終了指示ステップにて終了が指示されると、前記第１のメモリに記憶された動画ファイルからサムネイルを作成するサムネイル作成ステップと、前記作成されたサムネイルを前記第２のメモリに保存する第２の記憶ステップと、前記第２のメモリに保存されている複数のサムネイルを一覧表示する表示ステップと、前記一覧表示された複数のサムネイルのうち、いずれかを選択する選択ステップと、前記選択ステップにて選択されたサムネイルに対応する動画ファイルを、前記サムネイルの表示位置に、サムネイルの大きさで再生する再生ステップとからなることを特徴とする。
【００１１】
また、好ましい態様として、例えば請求項６記載のように、請求項５記載の動画一覧表示方法において、前記第１のメモリに記憶された動画ファイルの各フレームに任意に特殊効果を付与する付与ステップを更に含み、前記サムネイル作成ステップは、前記付与ステップにて特殊効果が付与されていないフレームからサムネイルを作成するようにしてもよい。
【００１２】
また、好ましい態様として、例えば請求項７記載のように、請求項５記載の動画一覧表示方法において、前記再生ステップは、再生すべき動画ファイルの再生時間が所定の時間より長い場合、前記動画ファイルを所定の再生時間毎に複数に分割し、分割した動画ファイルを所定の間隔で連続して再生するようにしてもよい。
【００１３】
また、上記目的達成のため、請求項８記載の発明による動画記録一覧表示プログラムは、撮像部、第１のメモリ、第２のメモリ、及び、操作部を備える撮影装置における動画一覧表示プログラムであって、前記撮像部にて撮像される撮像データから、所定のフレームレートに従って、ストリームデータを生成する生成ステップと、前記操作部の所定の指示操作により記録開始を指示する開始指示ステップと、この開始指示ステップにて動画の記録が指示されると、前記ストリームデータを圧縮処理して動画ファイルを順次作成する動画作成ステップと、前記作成された動画ファイルを前記第１のメモリに順次保存させる第１の記憶ステップと、前記操作部の所定の指示操作により記録終了を指示する終了指示ステップと、前記終了指示ステップにて終了が指示されると、前記第１のメモリに記憶された動画ファイルからサムネイルを作成するサムネイル作成ステップと、前記作成されたサムネイルを前記第２のメモリに保存する第２の記憶ステップと、前記第２のメモリに保存されている複数のサムネイルを一覧表示する表示ステップと、前記一覧表示された複数のサムネイルのうち、いずれかを選択する選択ステップと、前記選択ステップにて選択されたサムネイルに対応する動画ファイルを、前記サムネイルの表示位置に、サムネイルの大きさで再生する再生ステップとをコンピュータに実行させることを特徴とする。
【発明の効果】
【００１４】
請求項１記載の発明によれば、ストリームデータ生成手段により、撮像手段によって撮像される撮像データから、所定のフレームレートに従ってストリームデータを生成し、開始指示手段によって動画の記録が指示されると、動画作成手段により、前記ストリームデータを圧縮処理して動画ファイルを順次作成し、第１の記憶手段に順次保存し、終了指示手段によって終了が指示されると、サムネイル作成手段により、前記第１の記憶手段に記憶された動画ファイルからサムネイルを作成し、第２の記憶手段に保存し、第２の記憶手段に保存されている複数のサムネイルを表示手段に一覧表示し、選択手段により複数のサムネイルのうち、いずれかが選択されると、再生手段により、選択されたサムネイルに対応する動画ファイルを、前記サムネイルの表示位置に、サムネイルの大きさで再生するようにしたので、専用機としての処理能力を備えていない動画撮影装置であっても、容易に動画の内容を確認することができるという利点が得られる。
【００１５】
請求項２記載の発明によれば、請求項１記載の発明においてさらに、前記第１の記憶手段に記憶された動画ファイルの各フレームに任意に特殊効果を付与する付与手段を備え、前記サムネイル作成手段は、前記付与手段により特殊効果が付与されていないフレームからサムネイルを作成するようにしたので、サムネイルが一覧表示された際に、容易に動画の内容を確認することができるという利点が得られる。
【００１６】
請求項３載の発明によれば、請求項１記載の発明においてさらに、前記サムネイル作成手段によって、前記第１の記憶手段に記憶された動画ファイルの先頭フレーム、中間フレーム、あるいは最終フレームのいずれかのフレームからサムネイルを作成するようにしたので、サムネイルが一覧表示された際に、容易に動画の内容を確認することができるという利点が得られる。
【００１７】
請求項４記載の発明によれば、請求項１記載の発明においてさらに、再生すべき動画ファイルの再生時間が所定の時間より長い場合、前記再生手段によって、前記動画ファイルを所定の再生時間毎に複数に分割し、分割した動画ファイルを所定の間隔で連続して再生するようにしたので、専用機としての処理能力を備えていない動画撮影装置であっても、容易に動画の内容を確認することができ、さらに、長い動画ファイルであっても、短時間でその内容を確認することができるという利点が得られる。
【００１８】
請求項５記載の発明によれば、前記撮像部にて撮像される撮像データから、所定のフレームレートに従って、ストリームデータを生成する生成ステップと、前記操作部の所定の指示操作により記録開始を指示する開始指示ステップと、この開始指示ステップにて動画の記録が指示されると、前記ストリームデータを圧縮処理して動画ファイルを順次作成する動画作成ステップと、前記作成された動画ファイルを前記第１のメモリに順次保存させる第１の記憶ステップと、前記操作部の所定の指示操作により記録終了を指示する終了指示ステップと、前記終了指示ステップにて終了が指示されると、前記第１のメモリに記憶された動画ファイルからサムネイルを作成するサムネイル作成ステップと、前記作成されたサムネイルを前記第２のメモリに保存する第２の記憶ステップと、前記第２のメモリに保存されている複数のサムネイルを一覧表示する表示ステップと、前記一覧表示された複数のサムネイルのうち、いずれかを選択する選択ステップと、前記選択ステップにて選択されたサムネイルに対応する動画ファイルを、前記サムネイルの表示位置に、サムネイルの大きさで再生する再生ステップとからなるようにしたので、専用機としての処理能力を備えていない動画撮影装置であっても、容易に動画の内容を確認することができるという利点が得られる。
【００１９】
請求項６記載の発明によれば、請求項５記載の発明において、さらに前記第１のメモリに記憶された動画ファイルの各フレームに任意に特殊効果を付与する付与ステップを含み、前記サムネイル作成ステップは、前記付与ステップにて特殊効果が付与されていないフレームからサムネイルを作成するようにしたので、サムネイルが一覧表示された際に、容易に動画の内容を確認することができるという利点が得られる。
【００２０】
請求項７記載の発明によれば、請求項５記載の発明において、前記再生ステップで、再生すべき動画ファイルの再生時間が所定の時間より長い場合、前記動画ファイルを所定の再生時間毎に複数に分割し、分割した動画ファイルを所定の間隔で連続して再生するようにしたので、専用機としての処理能力を備えていない動画撮影装置であっても、容易に動画の内容を確認することができ、さらに、長い動画ファイルであっても、短時間でその内容を確認することができるという利点が得られる。
【００２１】
請求項８記載の発明によれば、前記撮像部にて撮像される撮像データから、所定のフレームレートに従って、ストリームデータを生成する生成ステップと、前記操作部の所定の指示操作により記録開始を指示する開始指示ステップと、この開始指示ステップにて動画の記録が指示されると、前記ストリームデータを圧縮処理して動画ファイルを順次作成する動画作成ステップと、前記作成された動画ファイルを前記第１のメモリに順次保存させる第１の記憶ステップと、前記操作部の所定の指示操作により記録終了を指示する終了指示ステップと、前記終了指示ステップにて終了が指示されると、前記第１のメモリに記憶された動画ファイルからサムネイルを作成するサムネイル作成ステップと、前記作成されたサムネイルを前記第２のメモリに保存する第２の記憶ステップと、前記第２のメモリに保存されている複数のサムネイルを一覧表示する表示ステップと、前記一覧表示された複数のサムネイルのうち、いずれかを選択する選択ステップと、前記選択ステップにて選択されたサムネイルに対応する動画ファイルを、前記サムネイルの表示位置に、サムネイルの大きさで再生する再生ステップとをコンピュータに実行させるようにしたので、専用機としての処理能力を備えていない動画撮影装置であっても、容易に動画の内容を確認することができるという利点が得られる。
【発明を実施するための最良の形態】
【００２２】
以下、本発明の実施の形態を、カメラ付き携帯電話に適用した一実施例として、図面を参照して説明する。
【００２３】
Ａ．実施の形態の構成
図１は、本発明の実施形態のカメラ付き携帯電話１の外観図（開状態：正面図、側面図）である。実施例１における携帯電話１は、蓋部２と本体部３とからなる二つ折り構造である。スピーカ１０１は、蓋部２の前面側に設けられており、電話モードにおける通話時には音声出力を行う。表示部（メイン表示部）１０２は、縦３２０×横２４０ドットの表示面積を有したＱＶＧＡの解像度のカラー液晶であり、ユーザが正規に操作する場合は、縦長の表示形態で撮影した画像やダウンロードした画像、最大Ｌサイズ（縦１４４ドット×横１７６ドットで表示される正規の縦横比サイズ）の動画が表示可能である。また、このメイン表示部１０２は、横長にした表示形態で縦２４０ドット×横３２０ドットの動画が表示可能である。アンテナ１０３は、本体部３の背面に設けられており、伸縮自在となっている。
【００２４】
本体部３の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。また、本体部３の側面には、蓋部２を閉じた状態で動画撮影を開始するためのシャッターキー１１３ｂが設けられている。
【００２５】
カメラキー１０４は、電源オン状態におけるカメラモードへの移行、後述するＤＳＰ１４０の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したり、撮影モードでのシャッターキーとして用いられるキーである。アドレスキー１０８は、アドレス帳データを表示するためのキーである。ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部３の下部に設けられており、通話時における音声入力を行なう。カードスロット（カバー）１１５は、外部記録メディア（例えば、ｍｉｎｉＳＤカード）を装着するスロットである。
【００２６】
蓋部２の背面には、サブ表示部１１６が設けられており、携帯電話１が閉じられた状態において、日時表示や、着信報知、メール着信報知、静止画や動画撮影時の補助画面などに用いられる他、カメラモードにおいては、後述する撮像レンズ１１８にて逐次撮り込まれる画像をモニター表示するためのファインダーとして機能する。報知用ＬＥＤ１１７は、発光することにより着信報知、メール着信報知を行う。撮像レンズ１１８は、静止画や動画を撮影する。フラッシュ用ＬＥＤ１１９は、静止画や動画撮影時に発光し、露出不足を防止するための発光手段である。報知スピーカ１２０は、着信や緊急時などを報知する他、カメラモードにおいては被写対象に聞こえるようにシャッター音を出力するものである。１２１はバッテリバックである。
【００２７】
次に、図２は、上述したカメラ付き携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００２８】
通信制御部１３１は、ＷＷＷ接続制御を含む当該機器を制御する。通信データ処理部１３１１は、ＣＬＥＰ系音声復号処理回路、パケットデータ生成回路、およびパケットデータ復元回路を含み、通信プロトコルに沿ったデータ処理を行う。オーディオインターフェース１３１２は、通信データ処理部１３１１で処理される音声信号の入出力処理を行い、マイク１１４からの音声を入力して音声信号に変換して、音声信号をスピーカ１０１から出力する。
【００２９】
システムＲＯＭ１３２は、図３に示すようなデータ構造を有し、主に無線通信処理全般を制御するための基本ＯＳやプロトコルプログラムを格納するプロトコル・プログラムエリア、端末の認証に必要な各種データ（加入者ＩＤを含む）などを格納する不揮発性設定データエリアからなる。ＲＡＭ１３３は、図４に示すようなデータ構造を有し、通信処理に関連するドライバやワークエリアからなる。画像処理制御部１３４は、撮影時または再生時における動画／静止画に対する、ＭＰＥＧ（ＭＰＥＧ４）／ＪＰＥＧエンコードおよびデコード処理全般を行う。ＲＡＭ１３５は、図５に示すデータ構造を有し、アプリケーションヒープ（システムリソース領域）等を有するワークエリア、ユーザデータなどを格納するバックアップエリア、ファイルシステムを格納するシステム管理エリア、キャッシュメモリエリア、その他のエリアからなる。プログラムＲＯＭ１３６は、書き換え可能なＦｌａｓｈ  ＲＯＭで構成され、図６に示すようなデータ構造を有し、画像・イラスト・フォント、撮影後の動画ファイルの編集に必要なフェード効果を含む特殊効果データなどを格納するデータエリア、ユーザデータ管理データやファイルシステム管理データなどを格納するファイルシステムエリア、データやプログラムなどを格納する辞書エリア、ＵＩプログラムエリアからなり、特に、ＤＳＰ１４０の制御プログラムを格納している。
【００３０】
表示モジュール系ドライバ１３７は、表示バッファを含み、サブ表示部１１６、メイン表示部１０２、報知用ＬＥＤ１１７、フラッシュ用ＬＥＤ１１９を駆動させる。ステップモータ１３８は、撮像レンズ１１８のズーム制御を行う。撮像デバイス１３９は、有効画素２００万画素相当のＣＣＤ、若しくはＣＭＯＳで構成され、撮像レンズ１１８により集束された映像をカラー画像として取り込み、Ａ／Ｄ変換を行ってカメラ内信号処理部１４０のＲＡＭ１５０に順次出力する。ＤＳＰ１５１は、カメラ内信号処理部１４０に含まれており、撮像デバイス１３９にて撮り込まれ、ＲＡＭ１５０に順次記憶される撮像データを、設定されたフレームレートに応じて切り出して読み出しストリームデータを生成する。撮像デバイス１３９は、所定のフレームレートでキャプチャ（撮像）する能力を備える。
【００３１】
音源ＩＣ１４２は、着信音などを生成する。アンプ１４３は、音源ＩＣ１４２からの音声信号を増幅し、報知スピーカ１２０から出力する。コネクタ１４４は、外部記録媒体（例えばｍｉｎｉＳＤカードなど）１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、図７に示すようなデータ構造を有し、ダウンロードしたデータや、撮影した画像データ、動画ファイル、メールデータ、アドレス帳データなどを格納するデータエリア、リードオンリエリア、ファイルシステム管理データからなる。アドレスデータバス処理部１２３は、通信制御部１３１、画像処理制御部１３４のアドレス制御、バスのデータの流れを制御する。
【００３２】
Ｂ．実施形態の動作
次に、上述した実施形態の動作について説明する。図８は、本実施形態によるカメラ付き携帯電話１の撮影モードの処理を説明するためのフローチャートである。また、図９は本実施形態によるカメラ付き携帯電話１のアルバムモードの処理の流れを示したフローチャートである。また、図１０は、特殊効果としてフェード効果が付与された動画の一例を示す模式図である。また、図１１ないし図１３は、カメラ付き携帯電話１においてアルバムモード時の表示例を示す模式図である。図１４は、動画の再生時間が所定の再生時間より長い場合における動画再生方法を説明するための概念図である。
【００３３】
Ｂ−１．撮影モード（ムービーモード）
まず、着信待受け状態より、ユーザの操作により、ムービーモードが指示されると、画像処理制御部１３４より、ステップモータ１３８、撮像デバイス１３９、及び、カメラ内信号処理部１４０（ＤＳＰ１５１）に制御信号が入力され、撮像デバイス１３９、ＲＡＭ１５０、画像処理制御部１３４、ＲＡＭ１３５を経て入力されたストリームデータに基づく映像をメイン表示部１０２に表示させるスルー表示状態になる。このスルー表示状態において、シャッターキー（決定キー１０７）の操作を検出することにより、撮影のスタートを検出すると（ステップＳ１０）、画像の撮り込みを開始する（ステップＳ１２）。
【００３４】
画像処理制御部１３４は、ストリームデータについてＭＰＥＧ４形式の圧縮処理を施し、ＭＰＥＧ４データとしてＲＡＭ１３５のその他の領域への保存を継続する（ステップＳ１４）。次に、再びユーザの決定キー１０７の操作による撮影停止が検出されたか否かを判断する（ステップＳ１６）。そして、決定キー１０７の操作が検出されなければ、画像の撮り込み処理をステップＳ１２から継続する。一方、検出された場合には撮影終了と判断し、スルー表示状態から保存するか否かをユーザに問い合わせる確認をメイン表示部１０２に表示させ（ステップＳ１８）、保存の指示検出の有無を判断する（ステップＳ２０）。保存指示されなければ確認表示状態に戻り、しかるべき処理を検出すれば、ＲＡＭ１３５の記憶内容の消去を行うが、保存指示を検出した場合は、ＲＡＭ１３５に記憶されたＭＰＥＧ４データＥの動画ファイルをユーザメモリ１４９の所定の記憶領域に転送・記憶させる（ステップＳ２２）。
【００３５】
次に、該保存した動画に対して特殊効果としてフェード効果を付与するか否かを判断する（ステップＳ２４）。なお、ここでのフェード効果としては、所定の単一色（例えば、黒一色）フレームから徐々に動画の先頭フレームへ遷移していくような映像効果を示している。そして、ユーザからフェード効果を付与する指示操作を検出すると、ＲＡＭ１３６のデータエリアより、ユーザのキー操作（アドレスキー１０８の操作検出によるサブメニューの表示、十字キー１０６の選択操作による特殊効果よりフェード効果の選択、フェード効果を付与すべき開始フレームの選択、及び、決定キー１０７の操作検出によるフェード効果付与の決定）に沿って、保存した動画ファイルにおいて任意のフレームに対してフェード効果を付与する（ステップＳ２６）。次に、フェード効果終了時点のフレームでサムネイルを作成し（ステップＳ２８）、該サムネイルをユーザメモリ１４９の所定の記憶領域に転送・記憶する（ステップＳ３２）。
【００３６】
図１０は、フェード効果が付与された動画の一例を示す模式図である。図示の例では、白画面から徐々に動画の先頭フレームの映像が現れてくる様子が示されている。このようなフェード効果が付与された動画の場合には、フェード効果終了時点のフレーム（図示の例では（ｄ））でサムネイルを作成する。これにより、サムネイルを一覧表示した際、どのような動画であるかを確認することができる。
【００３７】
一方、ユーザからフェード効果を付与する指示操作が検出されなければ、保存した動画の先頭フレームでサムネイルを作成し（ステップＳ３０）、該サムネイルをユーザメモリ１４９の所定の記憶領域に転送・記憶する（ステップＳ３２）。
【００３８】
Ｂ−２．アルバムモード
次に、保存した動画の一覧表示の処理について説明する。まず、所定の操作によりアルバムモードが選択されると、ユーザメモリ１４９から動画を検索し（ステップＳ４０）、保存されている動画のサムネイルを取得する（ステップＳ４２）。次に、取得したサムネイルを表示バッファに展開し（ステップＳ４４）、図１１に示すように動画のサムネイルをメイン表示部１０２に一覧表示する（ステップＳ４６）。
【００３９】
次に、ユーザによりいずれかのサムネイルが選択されたか否かを判断する。なお、サムネイルの選択は、十字キー１０６によりフォーカス（選択）を移動することで行われる。そして、いずれかのサムネイルが選択されると、選択されたサムネイルの動画の再生時間が所定の再生時間（例えば、３０秒）より長いか否かを判断する（ステップＳ５０）。そして、動画の再生時間が所定の再生時間以下であれば、サムネイルの表示位置で、サムネイルのサイズで通常再生する（ステップＳ５２）。次に、選択が継続されているか否かを判断し（ステップＳ５４）、選択が継続されていれば（フォーカスが継続されていれば）、動画の再生が終了したか否かを判断する（ステップＳ５６）。そして、再生が終了していなければ、ステップＳ５２で再生を継続する。
【００４０】
図１２に示す例では、サムネイル２００が選択された状態での動画再生を示している。また、図１３に示す例では、サムネイル２０１が選択された状態での動画再生を示している。図１１に示すサムネイルの一覧表示では、それぞれのサムネイル２００，２０１は、同じような画像となっているため、サムネイルだけを見てもその内容の違いを確認することはできないが、選択されたサムネイルの動画を再生することで、それぞれの動画の内容の違いを確認することができる。
【００４１】
一方、再生中に選択が外されると、動画再生を終了し、ステップＳ４６へ戻り、サムネイルの一覧表示へ戻る。また、動画の再生が終了した場合にも、ステップＳ４６へ戻り、サムネイルの一覧表示へ戻る。
【００４２】
また、選択されたサムネイルの動画の再生時間が所定の再生時間（例えば、３０秒）より長い場合には、図１４に示すように、例えば、動画再生時間を５秒間隔でａ〜ｐに分割し（ステップＳ５８）、所定の部分（ａ，ｅ，ｉ，ｍ）を分割秒（この場合、５秒）ずつ連続して再生する（ステップＳ６０）。次に、選択が継続されているか否かを判断し（ステップＳ６２）、選択が継続されていれば（フォーカスが継続されていれば）、動画の再生が終了したか否かを判断する（ステップＳ６４）。そして、再生が終了していなければ、ステップＳ６０で再生を継続する。
【００４３】
一方、再生中に選択が外されると、動画再生を終了し、ステップＳ４６へ戻り、サムネイルの一覧表示へ戻る。また、動画の再生が終了した場合にも、ステップＳ４６へ戻り、サムネイルの一覧表示へ戻る。
【００４４】
Ｃ．変形例
次に、本発明の変形例について説明する。ここで、図１５および図１６は、本発明の変形例による、アルバムモード時の表示例を示す模式図である。上述した実施形態では、特殊効果としてフェード効果が付与されていない動画に対しては、その先頭フレーム、また、フェード効果が付与された動画に対しては、フェード効果が終了した時点のフレームを用いてサムネイルを作成するとしたが、図１５に示す丸で囲んだように、フェード効果の有無に関係なく、動画の先頭フレームを用いてサムネイルを作成したり、図１６に示す丸で囲んだように、中間フレームや最終フレームを用いてサムネイルを作成してもよい。さらには、ユーザにより選択された任意のフレームを用いてサムネイルを作成するようにしてもよい。
【００４５】
このように本実施形態によれば、動画のサムネイルを選択するだけで、動画が再生されるので、内容を容易に確認することができる。特に、サムネイルが同様の映像である場合には効果がある。また、フェード効果が付与された動画のサムネイルを作成する際、フェード効果が終了した時点の画像をサムネイルとすることで、サムネイルを一覧表示したとに内容を確認することができる。また、動画を再生する際、再生時間が長い動画の場合には、動画再生時間を分割し、それぞれ数秒ずつ再生するようにしたので、早く確認することができる。
【００４６】
尚、実施形態は、動画撮影可能なカメラ付き携帯電話について述べたが、これに限らず、動画撮影が可能なデジタルカメラ、デジタルビデオカメラ、また、ＰＤＡ等の複合機器であっても適用可能である。
【図面の簡単な説明】
【００４７】
【図１】本発明の実施形態の実施例１によるカメラ付き携帯電話１の外観図（開状態：正面図、側面図）である。
【図２】カメラ付き携帯電話１の構成を示すブロック図である。
【図３】システムＲＯＭ１３２のデータ構造を示す概念図である。
【図４】ＲＡＭ１３３のデータ構造を示す概念図である。
【図５】ＲＡＭ１３５のデータ構造を示す概念図である。
【図６】プログラムＲＯＭ１３６のデータ構造を示す概念図である。
【図７】ユーザメモリ１４９のデータ構造を示す概念図である。
【図８】本実施形態によるカメラ付き携帯電話１の撮影モードの処理を説明するためのフローチャートである。
【図９】本実施形態によるカメラ付き携帯電話１のアルバムモードの処理の流れを示したフローチャートである。
【図１０】フェード効果が付与された動画の一例を示す模式図である。
【図１１】カメラ付き携帯電話１においてアルバムモード時の表示例を示す模式図である。
【図１２】カメラ付き携帯電話１においてアルバムモード時の表示例を示す模式図である。
【図１３】カメラ付き携帯電話１においてアルバムモード時の表示例を示す模式図である。
【図１４】動画の再生時間が所定の再生時間より長い場合における動画再生方法を説明するための概念図である。
【図１５】本発明の変形例による、アルバムモード時の表示例を示す模式図である。
【図１６】本発明の変形例による、アルバムモード時の表示例を示す模式図である。
【符号の説明】
【００４８】
１  携帯電話（動画撮影装置）
２  蓋部
３  本体部
１０１  スピーカ
１０２  メイン表示部（表示手段）
１０３  アンテナ
１０４  カメラキー
１０５  メールキー
１０６  十字キー（選択手段、付与手段、操作部）
１０７  決定キー（開始指示手段、終了指示手段、付与手段、操作部）
１０８  アドレスキー（付与手段）
１０９  ネット接続キー
１１０  クリアキー
１１１  オンフックキー
１１２  オフフックキー
１１３  テンキー
１１３ｂ  シャッターキー（操作部）
１１４  マイク
１１６  サブ表示部
１１７  報知用ＬＥＤ
１１８  撮像レンズ（撮像手段、撮像部）
１１９  フラッシュ用ＬＥＤ
１２０  報知スピーカ
１２３  アドレスデータバス処理部
１３０  無線送受信部
１３１  通信制御部
１３１１  通信データ処理部
１３１２  オーディオインターフェース
１３２  システムＲＯＭ
１３３  ＲＡＭ（第１の記憶手段、第２の記憶手段）
１３４  画像処理制御部（動画作成手段、サムネイル作成手段、再生手段、付与手段）
１３４１  カメラ・インターフェース
１３５  ＲＡＭ（第２の記憶手段、第２のメモリ）
１３６  プログラムＲＯＭ
１３７  表示モジュール系ドライバ
１３８  ステップモータ
１３９  撮像デバイス（撮像手段、撮像部）
１４０  カメラ内信号処理部（撮像手段）
１４２  音源ＩＣ
１４３  アンプ
１４４  コネクタ
１４６  外部インターフェースコントローラ
１４９  ユーザメモリ
１５０  ＲＡＭ
１５１  ＤＳＰ（撮像手段、ストリームデータ生成手段）
【図１】
2005269180.tif 000003
【図２】
2005269180.tif 000004
【図３】
2005269180.tif 000005
【図４】
2005269180.tif 000006
【図５】
2005269180.tif 000007
【図６】
2005269180.tif 000008
【図７】
2005269180.tif 000009
【図８】
2005269180.tif 000010
【図９】
2005269180.tif 000011
【図１０】
2005269180.tif 000012
【図１１】
2005269180.tif 000013
【図１２】
2005269180.tif 000014
【図１３】
2005269180.tif 000015
【図１４】
2005269180.tif 000016
【図１５】
2005269180.tif 000017
【図１６】
2005269180.tif 000018